(57)【要約】【課題】排気ダンパを取り付けたとしても、吸引装置の逆方向の風量を確保することができる空気調和機を提供すること。【解決手段】本発明の空気調和機は、塵埃を捕集するエアフィルターと、エアフィルターに付着した塵埃を吸入する吸入ノズルと、内部に換気ファンを有し吸い込み風量を発生させる吸引装置と、吸入ノズルと吸引装置の吸引側とを接続する吸気ダクトと、吸引装置の排出側に接続され外部へ塵埃を排出する排気ダクトとを備え、吸引装置の排出側に開口部を設けるとともに、換気ファンの正回転時（塵埃の吸い込み時）には吸引装置の排出側に設けた開口部を閉状態とし、換気ファンの逆回転時には吸引装置の排出側に設けた開口部を開状態とする。【選択図】図２
2011122748.tif 000002
【特許請求の範囲】
【請求項１】
塵埃を捕集するエアフィルターと、前記エアフィルターに付着した塵埃を吸入する吸入ノズルと、内部に換気ファンを有し吸い込み風量を発生させる吸引装置と、前記吸入ノズルと前記吸引装置の吸引側とを接続する吸気ダクトと、前記吸引装置の排出側に接続され外部へ塵埃を排出する排気ダクトとを備え、前記吸引装置の排出側に開口部を設けるとともに、前記換気ファンの正回転時（塵埃の吸い込み時）には前記吸引装置の排出側に設けた開口部を閉状態とし、前記換気ファンの逆回転時には前記吸引装置の排出側に設けた開口部を開状態とすることを特徴とする空気調和機。
【請求項２】
吸引装置の吸引側に設けた開口部と、排出側に設けた開口部とを１つの開閉装置で開閉することを特徴とする請求項１に記載の空気調和機。
【発明の詳細な説明】
【技術分野】
【０００１】
本発明は、エアフィルターの清掃を自動で行う空気調和機に関するものである。
【背景技術】
【０００２】
従来この種のエアフィルターの清掃を自動で行う空気調和機は、塵埃を吸い込む吸入ノズル１０２と、内部に換気ファン１００ａを有し塵埃の吸引を行う吸引装置１００と、吸引装置１００の吸気側と吸入ノズル１０２とを繋ぐ吸気ダクト１０３とを有しており、エアフィルターの清掃時は、吸引装置１００の吸気側に設けた開口部１０７ａを閉じて、吸気側の開口面積を小さくして小さな風量とし、強い吸引力を確保していた。
【０００３】
また、部屋の換気を行う時は、吸引装置の吸気側の開口部１０７ａを開けて、開口面積を大きくして大風量とし、換気性能を向上させていた。このように、一つの吸引装置において吸気側の開口面積を変化させることで、エアフィルターの清掃機能と、室内の換気機能とを切り替えていた（例えば、特許文献１参照）。
【先行技術文献】
【特許文献】
【０００４】
【特許文献１】特開２００５−１４０４０５号公報
【発明の概要】
【発明が解決しようとする課題】
【０００５】
このようなエアフィルターに付着した塵埃を自動で清掃する空気調和機において、エアフィルターへの塵埃付着量が多い環境下で、吸引装置によるエアフィルターの清掃機能を長期間使用すると、吸気ダクト内に塵埃が詰まってしまい、エアフィルターの清掃能力が低下してしまう場合がある。そこで、吸気ダクト内に塵埃が詰まってしまわないように、定期的に吸引装置の吸引方向を逆方向にして、吸気ダクト内の空気流れを逆方向にすることで、吸気ダクト内の塵埃の詰まりを防止し、エアフィルターの清掃能力の低下を防止するようにしていた。
【０００６】
ところが、屋外からの虫が室内に侵入することを防止したり、屋外のにおいが室内に流入したりすることを防ぐため、室外へ塵埃を排出する排出口に排気ダンパ１１０を取り付ける場合がある。排気ダンパは、順方向の空気流れであれば排出口が開き、逆方向の空気流れであれば排出口が閉じるものである。そのため、吸引装置の吸引方向を逆方向にしたときに、排気ダンパが通風路を塞ぐため、風量を確保することができずに、吸気ダクト内の塵埃の詰まりを取り除くことができないという課題を有していた。
【０００７】
本発明は、前記従来の課題を解決するものであり、排気ダンパを取り付けたとしても、吸引装置の逆方向の風量を確保することができる空気調和機を提供することを目的とする。
【課題を解決するための手段】
【０００８】
前記従来の課題を解決するために、本発明の空気調和機は、塵埃を捕集するエアフィルターと、エアフィルターに付着した塵埃を吸入する吸入ノズルと、内部に換気ファンを有し吸い込み風量を発生させる吸引装置と、吸入ノズルと吸引装置の吸引側とを接続する吸気ダクトと、吸引装置の排出側に接続され外部へ塵埃を排出する排気ダクトとを備え、吸引装置の排出側に開口部を設けるとともに、換気ファンの正回転時（塵埃の吸い込み時）には吸引装置の排出側に設けた開口部を閉状態とし、換気ファンの逆回転時には吸引装置
の排出側に設けた開口部を開状態とすることにより、排気ダンパが排気ダクトの屋外排出口に取り付けられていても、吸引装置の排出側に設けられた開口部から空気を吸い込むことができるので、換気ファンの逆回転時であっても風量を確保することができる。
【発明の効果】
【０００９】
本発明は、排気ダンパを取り付けたとしても、吸引装置の逆方向の風量を確保することができる空気調和機を提供することができる。
【図面の簡単な説明】
【００１０】
【図１】本発明の実施の形態１における空気調和機の内部斜視図
【図２】同実施の形態１における要部構成図
【図３】同実施の形態１における要部拡大図
【図４】本発明の実施の形態２における要部構成図
【図５】（ａ）ＡＡ断面図（ｂ）Ｂ側正面図
【図６】従来の空気調和機の要部拡大図
【発明を実施するための形態】
【００１１】
第１の発明の空気調和機は、塵埃を捕集するエアフィルターと、エアフィルターに付着した塵埃を吸入する吸入ノズルと、内部に換気ファンを有し吸い込み風量を発生させる吸引装置と、吸入ノズルと吸引装置の吸引側とを接続する吸気ダクトと、吸引装置の排出側に接続され外部へ塵埃を排出する排気ダクトとを備え、吸引装置の排出側に開口部を設けるとともに、換気ファンの正回転時（塵埃の吸い込み時）には吸引装置の排出側に設けた開口部を閉状態とし、換気ファンの逆回転時には吸引装置の排出側に設けた開口部を開状態とすることにより、排気ダンパが排気ダクトの屋外排出口に取り付けられていても、吸引装置の排出側に設けられた開口部から空気を吸い込むことができるので、換気ファンの逆回転時であっても風量を確保することができる。
【００１２】
第２の発明の空気調和機は、特に第１の発明において、吸引装置の吸引側に設けた開口部と、排出側に設けた開口部とを１つの開閉装置で開閉することにより、吸引装置の排出側に設けた開口部と、吸引側に設けた開口部のそれぞれに開閉装置を取り付ける必要がないため、開閉装置の取り付けスペースをなくして小型化できるとともに、開閉装置を複数個取り付けるコストを削減することができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機の室内ユニットの内部斜視図である。図１に示す室内ユニットは、エアフィルターと吸入ノズルとの位置関係が分かりやすいように、外郭を構成する筐体を省略した形で示している。図１に示すように、本実施の形態１における空気調和機の室内ユニットは、内部に設けた室内側熱交換器の前面側にエアフィルター５を設けており、さらにエアフィルター５の前面側に吸入ノズル２を設けて、吸入ノズル２が左右に駆動することで、エアフィルター５で捕集された塵埃を吸い込み外部へ排出される。
【００１５】
また、吸入ノズル２には吸気ダクト３が取り付けられており、吸気ダクト３の他端は吸引装置１の吸引側に接続されている。そして吸引装置１の排出側には排気ダクト４が接続されており、排気ダクト４の他端は室外へと延伸している。
【００１６】
なお、本実施の形態１では、吸入ノズル２にてエアフィルター５で捕集された塵埃を吸
い込む方向を正方向とし、吸引装置１の内部に設けられた換気ファン１ａが正回転時に正方向へ空気流れが発生する。さらに、本実施の形態１において、吸引装置１の吸引側とは、正方向に空気流れが発生した時の吸引装置１の吸気側とし、吸引装置１の排出側とは、正方向に空気流れが発生した時の吸引装置１の排気側とする。
【００１７】
また、本実施の形態では室内ユニット内の構成については詳しくは述べていないが、冷凍サイクルを構成する部品等を有していることは言うまでもない。
【００１８】
図２は、室内ユニットの清掃ユニット部分の構成図である。図２に示すように、室外へと延伸している排気ダクト４の端部には、排気ダンパ１０が取り付けられており、空気流れが正方向に発生している場合には、排気ダンパ１０が開き、空気流れが逆方向に発生している場合には、排気ダンパ１０が閉じる。また、吸引装置１の内部には換気ファン１ａを備えており、換気ファン１ａが駆動することによって空気流れが発生する。
【００１９】
また、吸引装置１の吸引口７には開口部７ａが設けられており、吸引装置１の排出口９には開口部９ａが設けられている。そして、開口部７ａには開閉を行う開閉装置６が備えられ、開口部９ａには開閉を行う開閉装置８が備えられている。
【００２０】
以上のように構成された空気調和機において、以下、エアフィルターの自動清掃機能について説明する。
【００２１】
まず、使用者の自動清掃運転指示があれば、もしくは設定した自動清掃運転時刻になると、換気ファン１ａが正回転して空気流れを発生させるとともに、吸入ノズル２がエアフィルター５の左右方向に駆動して、エアフィルター５に捕集されている塵埃を吸い込む。このとき、開口部７ａおよび開口部９ａは閉じられており、吸入ノズル２に設けられた吸い込み口からのみ空気を吸い込むため吸引力を強くすることができる。一方、吸い込まれた塵埃は排気ダクト４を経て、室外へ排出される。このとき正方向に空気流れが発生しているので、排気ダンパ１０は開く方向となる。
【００２２】
また、部屋の換気を行う時には、開口部７ａを開閉装置６により開ける。図３は、開口部７ａおよび開閉装置６の要部拡大図である。図３に示すように、開閉装置６を駆動すること（点線部から実線部）によって、開口部７ａから空気が流入する流路が開く。その結果、開口部７ａから大量の空気を取り入れることができるため、換気性能が向上する。
【００２３】
ここで、長期間自動清掃機能を使用していると、吸気ダクト３内に塵埃が溜まってしまう。そこで、定期的に換気ファン１ａを逆回転して空気流れを逆方向に発生させる。その結果、吸気ダクト３内に溜まっている塵埃を取り除くことができる。
【００２４】
ところが、排気ダンパ１０を取り付けている場合は、換気ファン１ａを逆回転すると、排気ダンパ１０から空気を取り入れなければならないが、逆方向時には排気ダンパ１０が閉じてしまうため、風量を確保することができない。仮に、空気流れが逆方向時に限って、排気ダンパを電動で駆動できるようにしてもよいが、その場合には、排気ダクトの先端まで電線を引き回す必要があり、設置作業の工数が増加して複雑になってしまう。
【００２５】
そこで、本実施の形態では、開口部９ａを設けて、吸気ダクト３内の塵埃を取り除く場合は、開口部９ａから空気を吸い込むようにしている。なお、開口部９ａの開閉機構は、開口部７ａの開閉機構と同じであるため、開口部９ａの開閉については、図３を用いて説明する。吸気ダクト３内の塵埃を取り除く場合は、エアフィルター５の自動清掃運転が停止中であって、自動清掃運転の終了後やある決まった時刻などに、換気ファン１ａを逆回転させる。
【００２６】
そして、換気ファン１ａを逆回転させると、吸気ダクト３内に逆方向に空気流れが発生する。排気ダンパ１０を設けていない場合であれば、これである程度の風量は確保できるが、排気ダンパ１０を設けている場合は、風量を確保することができない。また排気ダンパ１０を設けていない場合であっても、さらに強い風量を確保する必要がある。
【００２７】
これに対して本実施の形態１では、換気ファン１ａを逆回転させるとともに、開口部９ａを開状態とする。図３に示すように、開閉装置８を駆動することによって、開口部９ａから空気が流入する流路が開く。その結果、換気ファン１ａを逆回転させる場合においても、風量を確保することができ、吸気ダクト３内に溜まる塵埃を取り除くことができる。
【００２８】
以上のように、本実施の形態における空気調和機では、換気ファン１ａを逆回転させた場合であっても、設置作業を複雑にさせることなく、風量を確保することができる。
【００２９】
（実施の形態２）
図４は、本発明の実施の形態２における空気調和機の室内ユニットの清掃ユニット部分の構成図である。実施の形態１における空気調和機とは、同じ開閉装置を用いて開口部７ａおよび開口部９ａを開閉するという点で異なる。なお、実施の形態１と同じ部位に関しては、実施の形態１と同じ符号を付して、説明を省略する。
【００３０】
まず、開口部７ａおよび開口部９ａの開閉状態を見ると、自動清掃運転時は開口部７ａおよび開口部９ａのどちらも閉じた状態であり、換気運転時は開口部７ａが開き、開口部９ａが閉じた状態であり、吸気ダクト３内の塵埃を取り除く時は、開口部７ａが閉じ、開口部９ａが開いた状態である。
【００３１】
そこで、本実施の形態では開口部７ａおよび開口部９ａの開閉を一つの開閉装置で行うことを特徴とする。図５（ａ）は、ＡＡ断面図、図５（ｂ）は、Ｂ方向から見たときの要部正面図である。図５（ａ）（ｂ）に示すように、本実施の形態２における開閉装置は、一つのモータ１２と、遮蔽版１３とで構成されており、モータ１２が回転することにより、遮蔽板１３が左右方向に駆動する。
【００３２】
また、モータ１２の回転軸の先端には歯車が取り付けられており、遮蔽板１３の端部にはモータ１２の歯車にかみ合うように切り欠き形状となっている。そして歯車と切り欠き形状がかみ合い遮蔽板１３が左右方向に移動する。
【００３３】
その結果、換気運転時には、遮蔽板１３が左側に移動することによって、開口部７ａが開状態となり、開口部９ａは閉状態のままである。また、自動清掃運転時には、遮蔽板１３は左右に駆動せずに、開口部７ａおよび開口部９ａのどちらも閉状態となっている。また、吸気ダクト３内の塵埃を取り除く時は、遮蔽板１３が右側に移動することによって、開口部９ａが開状態となり、開口部７ａは閉状態のままである。
【００３４】
このように、一つの開閉装置によって、開口部７ａおよび開口部９ａの開閉を切り替えることによって、コストの増加を抑え、ひいては室内ユニットの小型化を実現することができる。
【産業上の利用可能性】
【００３５】
本発明に係る空気調和機は、エアコン以外にも、単純な換気装置等にも適用することができる。
【符号の説明】
【００３６】
１  吸引装置
１ａ  換気ファン
２  吸入ノズル
３  吸気ダクト
４  排気ダクト
５  エアフィルター
６  開閉装置
７  吸引口
７ａ  開口部
８  開閉装置
９  排出口
９ａ  開口部
１０  排気ダンパ
１２  モータ
１３  遮蔽板
【図１】
2011122748.tif 000003
【図２】
2011122748.tif 000004
【図３】
2011122748.tif 000005
【図４】
2011122748.tif 000006
【図５】
2011122748.tif 000007
【図６】
2011122748.tif 000008